(57)【要約】【課題】二値画像の原画像中の画像要素の形状をなるべく維持する縮小画像を、簡易な構成により生成する画像処理装置、画像処理方法、及び、情報記録媒体を提供すること。【解決手段】二値画像を、縮小率に基づく画素数を有するブロックに分割するブロック分割部と、ブロックが有する二値画素の濃度の平均に基づく濃度を有する一の多値画素に変換して縮小画像を生成する縮小画像生成部と、多値画素毎に、該多値画素を含む所定の範囲の多値画素の濃度の平均に基づいて決定される所定の範囲の画素を二値で表現する際の黒画素の個数の最小値を、濃度に換算した値である黒画素比率保存閾値を決定する黒画素比率保存閾値決定部と、縮小画像を二値画像に変換する際に一の多値画素が白画素となる濃度の閾値を前記縮小率に基づいて決定する濃度閾値決定部と、黒画素比率保存閾値と前記濃度の閾値とに基づいて、縮小画像が有する画素を二値化する二値化部と、を有する。【選択図】図１
2011034126.tif 000002
【特許請求の範囲】
【請求項１】
二値画像を、縮小率に基づく画素数を有するブロックに分割するブロック分割部と、
前記ブロック毎に、該ブロックが有する二値画素の濃度の平均に基づく濃度を有する一の多値画素に変換して縮小画像を生成する縮小画像生成部と、
前記多値画素毎に、該多値画素を含む所定の範囲の多値画素の濃度の平均に基づいて決定される前記所定の範囲の画素を二値で表現する際の黒画素の個数の最小値を、濃度に換算した値である黒画素比率保存閾値を決定する黒画素比率保存閾値決定部と、
前記縮小画像を二値画像に変換する際に一の多値画素が白画素となる濃度の閾値を前記縮小率に基づいて決定する濃度閾値決定部と、
前記黒画素比率保存閾値と前記濃度の閾値とに基づいて、前記縮小画像が有する画素を二値化する二値化部と、
を有することを特徴とする画像処理装置。
【請求項２】
前記ブロック分割部は、縦方向の縮小率に基づいて前記ブロックの縦方向の画素数を決定し、横方向の縮小率に基づいて前記ブロックの横方向の画素数を決定することを特徴とする請求項１記載の画像処理装置。
【請求項３】
前記濃度閾値決定部は、前記濃度の閾値を、縦方向の縮小率及び横方向の縮小率のうち、値の小さな縮小率に基づいて決定することを特徴とする請求項１記載の画像処理装置。
【請求項４】
前記二値化部は、
前記多値画素の濃度が、該多値画素に対応する前記黒画素比率保存閾値より濃いか同一の場合、及び、前記多値画素の濃度が、該多値画素に対応する前記黒画素比率保存閾値より薄く、該多値画素の濃度が該多値画素の周囲の画素の濃度の平均より濃く、かつ、該多値画素の濃度が前記濃度の閾値より濃いか同一の場合に、該多値画素を黒画素とすることを特徴とする請求項１ないし３何れか一項に記載の画像処理装置。
【請求項５】
前記黒画素比率保存閾値決定部は、前記所定の範囲を、前記二値画像の全体とすることを特徴とする請求項１ないし４何れか一項に記載の画像処理装置。
【請求項６】
前記黒画素比率保存閾値決定部は、前記所定の範囲を、前記縮小画像が有する画素の前後の所定数のラインの画素とすることを特徴とする請求項１ないし４何れか一項に記載の画像処理装置。
【請求項７】
二値画像を、縮小率に基づく画素数を有するブロックに分割するブロック分割ステップと、
前記ブロック毎に、該ブロックが有する二値画素の濃度の平均に基づく濃度を有する一の多値画素に変換して縮小画像を生成する縮小画像生成ステップと、
前記多値画素毎に、該多値画素を含む所定の範囲の多値画素の濃度の平均に基づいて決定される前記所定の範囲の画素を二値で表現する際の黒画素の個数の最小値を、濃度に換算した値である黒画素比率保存閾値を決定する黒画素比率保存閾値決定ステップと、
前記縮小画像を二値画像に変換する際に一の多値画素が白画素となる濃度の閾値を前記縮小率に基づいて決定する濃度閾値決定ステップと、
前記黒画素比率保存閾値と前記濃度の閾値とに基づいて、前記縮小画像が有する画素を二値化する二値化ステップと、
を有することを特徴とする画像処理方法。
【請求項８】
二値画像を、縮小率に基づく画素数を有するブロックに分割するブロック分割ステップと、
前記ブロック毎に、該ブロックが有する二値画素の濃度の平均に基づく濃度を有する一の多値画素に変換して縮小画像を生成する縮小画像生成ステップと、
前記多値画素毎に、該多値画素を含む所定の範囲の多値画素の濃度の平均に基づいて決定される前記所定の範囲の画素を二値で表現する際の黒画素の個数の最小値を、濃度に換算した値である黒画素比率保存閾値を決定する黒画素比率保存閾値決定ステップと、
前記縮小画像を二値画像に変換する際に一の多値画素が白画素となる濃度の閾値を前記縮小率に基づいて決定する濃度閾値決定ステップと、
前記黒画素比率保存閾値と前記濃度の閾値とに基づいて、前記縮小画像が有する画素を二値化する二値化ステップと、
を有する画像処理方法をコンピュータに実行させるためのコンピュータプログラムを記録した情報記録媒体。
【発明の詳細な説明】
【技術分野】
【０００１】
本発明は、画像処理装置、画像処理方法、及び、情報記録媒体に関する。
【背景技術】
【０００２】
従来から、二値画像を縮小する画像処理の技術がある。例えば、プリンタ、スキャナ、複写機等で扱う画像の解像度が高くなっている一方で、高解像度の画像を求めない場合等には、縮小画像を生成することが行われる。また、例えば、画像ビューワー等で高解像度の画像を閲覧する際に、サムネール等の縮小画像の生成、又は、表示装置の画面に収まる程度の画像を生成することが行われる。
【０００３】
二値画像を縮小する技術として、例えば、特開平７−１２３２４６号公報（特許文献１）には、二値画像を縮小する際に、縮小率に応じたブロック毎に一つの多値画素に変換し、その多値画素を二値化する二値画像縮小装置が開示されている。特許文献１に開示の二値画像縮小装置は、さらに、多値画素を二値化する際に、その多値画素の基となるブロック内の二値画像データの画素の配置に応じて、例外処理を設けている。
【０００４】
また、特開２００２−３５４２３３号公報（特許文献２）には、二値画像を縮小する際に、一旦縮小された多値画像を生成し、そこから中間調を表現するディザ又は誤差拡散等により、二値化を行う画像縮小装置等の発明が開示されている。
【０００５】
ところで、二値画像には、帳票等のように、表や線等を多く含むものがある。帳票等は、図や写真は多く含まれない場合が多い。このような帳票の二値画像を縮小すると、細線の切れやかすれが生じることがあり、これを避けるためにＯＲ圧縮を行うと、黒が多くなりすぎることがある。
【発明の概要】
【発明が解決しようとする課題】
【０００６】
しかしながら、上記特許文献２に記載の画像縮小装置等の発明では、ディザや誤差拡散等により二値化を行うため、細線等の処理を行うと、画像中の表等の構造がつぶれた形になることがある。また、上記特許文献１に記載の二値画像縮小装置の発明では、二値画像データのブロック毎の画素の並びに応じて、例外処理を設けるため、画素の並びを検証しなくてはならず、処理が煩雑になる。
【０００７】
本発明は、上記の点に鑑みて、これらの問題を解消するために発明されたものであり、二値画像の原画像中の画像要素の形状をなるべく維持する縮小画像を、簡易な構成により生成する画像処理装置、画像処理方法、及び、情報記録媒体を提供することを目的としている。
【課題を解決するための手段】
【０００８】
上記目的を達成するために、本発明の画像形成装置は次の如き構成を採用した。二値画像を、縮小率に基づく画素数を有するブロックに分割するブロック分割部と、前記ブロック毎に、該ブロックが有する画素の濃度の平均に基づく濃度を有する一の画素に変換して縮小画像を生成する縮小画像生成部と、前記縮小画像が有する画素毎に、該画素を含む所定の範囲の画素の濃度の平均に基づいて、前記所定の範囲の画素を二値で表現する際の黒画素割合の閾値を決定する黒画素比率保存閾値決定部と、前記縮小画像が有する画素を二値化する際の濃度の閾値を前記縮小率に基づいて決定する濃度閾値決定部と、前記黒画素数の閾値と前記濃度の閾値とに基づいて、前記縮小画像が有する画素を二値化する二値化部と、を有する構成とすることができる。
【０００９】
これにより、二値画像の原画像中の画像要素の形状をなるべく維持する縮小画像を、簡易な構成により生成する画像処理装置を提供することができる。
【００１０】
なお、上記課題を解決するため、本発明は、上記画像処理装置における画像処理方法、及び、その画像処理方法をコンピュータに実行させるためのプログラムを記憶した情報記録媒体としてもよい。
【発明の効果】
【００１１】
本発明の画像処理装置、画像処理方法、及び、情報記録媒体によれば、二値画像の原画像中の画像要素の形状をなるべく維持する縮小画像を、簡易な構成により生成する画像処理装置、画像処理方法、及び、情報記録媒体を提供することが可能になる。
【図面の簡単な説明】
【００１２】
【図１】図１は、本実施形態の画像処理装置の機能構成の例を示す図である。
【図２】図２は、分割されたブロックの例を説明する図である。
【図３】図３は、一つの黒画素となるブロックに含まれる黒画素の例を示す図である。
【図４】図４は、本実施の形態に係る画像処理方法（その１）を示すフロー図である。
【図５】図５は、本実施の形態に係る画像処理方法（その２）を示すフロー図である。
【図６】図６は、本実施の形態に係る画像処理装置の構成を示すブロック図である。
【発明を実施するための形態】
【００１３】
以下、本発明の実施の形態を図面に基づき説明する。なお、以下の実施の形態では、多値画像の画素の濃度を０から２５５の範囲とし、０が白、２５５が黒を表す例について説明する。また、二値画像の画素は、０が白画素、１が黒画素を表す。
【００１４】
〔本発明の実施の形態〕
（本実施形態の画像処理装置の機能構成の例）
図１は、本実施形態の画像処理装置の機能構成の例を示す図である。図１の画像処理装置１００は、ブロック分割部１０、縮小画像生成部２０、黒画素比率保存閾値決定部３０、濃度閾値決定部４０、二値化部５０、画像メモリ８１、及び、ワークメモリ８２が、バスにより接続されている。
【００１５】
ブロック分割部１０は、二値画像を、縮小率に応じたブロックに分割する。縮小画像生成部２０は、ブロック毎に、一の多値画素を生成することにより、多値の縮小画像を生成する。黒画素比率保存閾値決定部３０は、多値の縮小画像を二値化する際に用いる閾値である黒画素比率保存閾値を決定する。黒画素比率保存閾値は、多値の縮小画像の所定の範囲の画素を、二値で表現する際に、その所定の範囲に含まれる黒画素の個数を多値画像の画素の濃度に換算した値である。
【００１６】
濃度閾値決定部４０は、多値の縮小画像に含まれる画素を二値に変換する際に、白画素となる多値画素の濃度の閾値を決定する。この濃度の閾値は、縮小率に基づいて決定される。
【００１７】
二値化部５０は、黒画素比率保存閾値決定部３０により決定された黒画素比率保存閾値と、濃度閾値決定部４０により決定された濃度の閾値と、に基づいて、多値の縮小画像の画素毎に、濃度を二値に変換する。
【００１８】
画像メモリ８１は、入力される二値画像の画像データを格納する。ワークメモリ８２は、ブロック分割部１０、縮小画像生成部２０、黒画素比率保存閾値決定部３０、濃度閾値決定部４０、及び、二値化部５０が、処理を行う際の一時的なデータを格納する。なお、画像メモリ８１及びワークメモリ８２は、一のメモリとして構成されてもよい。
【００１９】
以下に、ブロック分割部１０、縮小画像生成部２０、黒画素比率保存閾値決定部３０、濃度閾値決定部４０、及び、二値化部５０の処理の詳細について説明する。
【００２０】
（ブロック分割部１０の処理）
ブロック分割部１０は、二値画像の原画像をブロックに分割する。図２は、ブロック分割部１０が、二値画像の原画像を、縮小率に応じたブロックに分割する例を示す図である。図２では、縦方向及び横方向の縮小率が、それぞれ、４０％である場合の例を示す。縮小率が４０％の場合、縮小二値画像の１画素には、縦２．５画素、横２．５画素のブロックが対応する。ブロックｂ１では、画素Ａ、Ｂ、Ｆ、Ｇの４つの画素が含まれる。ブロックｂ１には、さらに、画素Ｃ、Ｈ、Ｋ、Ｌの４つの画素が、それぞれ、１／２画素ずつ含まれる。また、画素Ｍは、１／４画素含まれる。
【００２１】
（縮小画像生成部２０の処理）
縮小画像生成部２０は、ブロック分割部１０により分割されたブロック毎に、含まれる画素の平均濃度を計算する。例えば、縮小率が縦横それぞれ５０％の場合には、２×２画素が１つのブロックとなる。そこで、２×２画素の中の黒画素の数を計数して１つの４階調の多値画素を得る。図２に示すブロックの場合には、黒を２５５、白を０として、ブロック内の画素値の面積平均を求める。これにより、ブロック毎に１つの値を得る。
【００２２】
（黒画素比率保存閾値決定部３０の処理）
黒画素比率保存閾値決定部３０は、黒画素比率保存閾値を保存する閾値を算出する。黒画素比率保存閾値決定部３０は、縮小画像生成部２０により生成された縮小画像の画素毎に、所定の範囲の画素の平均濃度αを、次式（１）により算出する。所定の範囲とは、例えば、注目画素の周囲の８画素、注目画素の上下の数ラインの画素を含む範囲、又は、縮小画像の全体等である。なお、所定の範囲は、縮小率に応じて定められてもよい。
【数１】
2011034126.tif 000003
【００２３】
黒画素比率保存閾値決定部３０は、次に、Ｘ画素中に、Ｙ画素の黒があった場合に、平均濃度αになる画素数又は平均濃度αを超える画素数である画素数Ｙを、次式（２）により算出する。
【数２】
2011034126.tif 000004
【００２４】
部分領域（Ｘ）の中は実際には０〜２５５の画素値を持つ画素が入っているため、この値Ｙは、仮想的な値である。この値Ｙは、部分領域（Ｘ）中が白画素と黒画素のみの場合に、全部でＹ個の黒画素があると、部分領域（Ｘ）の平均濃度は、多値画素による平均濃度と同一か、又は、やや濃くなることを意味する。すなわち、値Ｙは、黒画素の個数の最小値である。
【００２５】
黒画素比率保存閾値決定部３０は、次に、注目画素を含む周囲の部分領域Ｘ画素分の濃度Ｃ（ｋ）の濃度ヒストグラムにより、部分領域Ｘに含まれる黒画素の個数の最小値Ｙに対応する濃度を決定する。次式（３）は、平均濃度αを濃度ヒストグラムｈｉｓｔ（ｎ）により表した式であり、次式（４）は、黒画素の個数の最小値を濃度に換算した値Ｎを表す式である。
【数３】
2011034126.tif 000005
【００２６】
値Ｎの範囲は、濃度の範囲に等しく、本実施の形態では、０≦Ｎ≦２５５である。この値Ｎを、「黒画素比率保存閾値」という。部分領域（Ｘ）を二値化する際に、濃度Ｎを閾値としてそれ以上を黒に、Ｎ未満の濃度値を白として二値化することにより、二値化後の部分領域の（Ｘ）の平均濃度が、多値画像の部分領域（Ｘ）の平均濃度とほぼ等しくなる。
【００２７】
なお、黒画素比率保存閾値決定部３０は、平均濃度αを取得する範囲を、精度や使用メモリの容量に基づいて決定するとよい。例えば、平均濃度αを取得する場合に、画像全面を用いることにより、画像全体に対して安定的なパラメーターとなり、黒画素比率保存閾値を決定する際に、より精度が高くなる。
【００２８】
また、処理に用いるメモリの容量を節約する場合や小さなメモリにより本実施の形態に係る画像処理装置を実現する場合には、処理の効率を考慮して平均濃度αを取得する範囲を決定するとよい。例えば、縮小多値画像の所定数のライン分の画素値を保持し、そのデータで平均濃度を取得するとよい。ライン数は、例えば、注目画素の前後を用いた３とするとよい。これにより、後述する二値化処理において、周囲の８画素を用いる（ルール２）の判定の処理と、縦方向の範囲が同一となり、処理を効率的に行い、メモリを効率的に用いることができる。
【００２９】
（濃度閾値決定部４０の処理）
濃度閾値決定部４０は、二値化する際に用いるもう一つの閾値である濃度の閾値を決定する。濃度の閾値は、一の多値画素が白画素となる値である。濃度の閾値Ｍは、次式（５）により求められる。
Ｍ＝（（階調の数）／２）×（変倍率）・・・（５）
但し、（変倍率）は、縦の変倍率と横の変倍率とのうち、より値が大きな変倍率を採用する。なお、縮小の際の変倍率の値は、縮小後の画像が小さい方が、変倍率の値がより小さい。
【００３０】
例えば、縮小率Ｗが４０％の場合には、濃度の閾値Ｍは、
Ｍ＝１２８×０．４＝５１
となる。なお、上式において演算結果は、四捨五入している。
【００３１】
なお、式（５）は、経験的に定めた値である。より詳細には、例えば、以下の（ａ）から（ｃ）の背景がある。
（ａ）変倍率が１００％に近ければ濃度の閾値Ｍ＝１２８として、多数決的に白黒を決定する。
（ｂ）変倍率が５０％の場合には、濃度の閾値Ｍ＝６４となる。すなわち、５０％縮小の場合、元画像の２×２画素が結果画像の１画素に対応し、濃度の閾値Ｍ＝６４≒２５５／４は、「元画像の２×２画素の領域に黒画素が１つあれば結果画像を黒とする」というＯＲ圧縮的な決定則となる。
（ｃ）縮小後の画像がさらに小さい場合、例えば１／Ｎの場合、「元画像のＮ×Ｎ領域に長さＮ／２の線が１本あれば結果画像を黒とする」という線保存的な決定則となる。図３は、４×４画素のうち、２画素が黒画素である。したがって、図３の例は、この領域に基づく縮小後の画像の画素が、黒画素となる最低の濃度の閾値を示す。
【００３２】
（二値化部５０の処理）
二値化部５０は、黒画素比率保存閾値Ｎと濃度の閾値Ｍと、を用いて、二値化を行う。二値化部５０が多値画素を二値化する際のルールは、次の（ルール１）及び（ルール２）である。
【００３３】
（ルール１）多値画像の注目画素の濃度をＣとし、Ｃ≧Ｎであればその画素を黒画素とする。そうでなければ（２）へ。
（ルール２）注目画素の濃度Ｃが、隣接する８点の平均濃度よりも大きい、すなわち、
Ｃ×８＞隣接８点の濃度和
が成り立ち、かつ、
Ｃ≧Ｍ
であればその画素を黒画素とする。そうでなければその画素を白画素とする。
【００３４】
（ルール２）により、濃度の閾値Ｍを適用して黒画素とする場合を、注目点が周囲の平均的な濃度よりも濃い場合に限定している。これにより周囲に比べて明るい空隙領域をつぶす劣化や、線幅を過度に太くする劣化を抑えることができる。
【００３５】
図４は、本実施の形態に係る画像処理方法を示すフロー図である。図４のステップＳ１０１では、ブロック分割部１０が、入力される二値画像を縮小率に応じたブロックに分割する。ステップＳ１０１に続いてステップＳ１０２に進み、縮小画像生成部２０が、ステップＳ１０１で分割されたブロック毎に、一の多値画素の値を取得する。これにより、縮小された多値画像が生成される。
【００３６】
ステップＳ１０２に続いてステップＳ１０３に進み、黒画素比率保存閾値決定部３０が、黒画素比率保存閾値Ｎを決定する。ステップＳ１０３に続いてステップＳ１０４に進み、濃度閾値決定部４０が、最低の濃度の閾値Ｍを決定する。ステップＳ１０４に続いてステップＳ１０５に進み、二値化部５０が、縮小された多値画像の各画素を二値化する。
【００３７】
図４の処理において、最低濃度の閾値Ｍは、縮小率により決まるため、図４に示す順でなくても構わない。例えば、処理の先頭で求め、それを保持することにより、他の画素の二値化においても、その値を用いる処理でよい。
【００３８】
図５は、ライン毎に縮小された多値画像を生成する処理を示すフロー図である。図５のステップＳ２０１では、ブロック分割部１０が、入力される二値画像を縮小率に応じたブロックに分割する。ステップＳ２０２では、濃度閾値決定部４０が、縮小率に基づく最低の濃度の閾値Ｍを決定する。この値は、例えば、ワークメモリ８２に保持される。
【００３９】
ステップＳ２０２に続いてステップＳ２０３に進み、ブロック分割部１０が、入力された二値画像の３ライン分のブロックを生成し、縮小画像生成部２０が、分割されたブロックにより縮小された多値画像を生成する。なお、画像の上端及び下端のラインについては、フィルタ処理等により、仮想の画素を補う処理等、公知の技術を用いるとよい。より詳細には、画像の先頭ラインと同じ画素を有するラインが先頭ラインの直上にあると想定して処理をしてもよい。
【００４０】
ステップＳ２０３に続いてステップＳ２０４に進み、黒画素比率保存閾値決定部３０が、黒画素比率保存閾値を算出する。この閾値が、黒画素比率保存閾値Ｎとなる。ステップＳ２０４に続いてステップＳ２０５に進み、ステップＳ２０３で得られた３ライン分のブロックに対応する多値画像を二値化する。
【００４１】
ステップＳ２０５に続いてステップＳ２０６に進み、注目ラインが、多値最後のラインか否かを判断する。最後のラインの場合は、ステップＳ２０９に進み処理を終了する。最後のラインではない場合は、ステップＳ２０７に進む。ステップＳ２０６に続くステップＳ２０７では、処理する注目ラインを一つずらす。
【００４２】
ステップＳ２０７に続いてステップＳ２０８に進み、新たな注目ラインにおいて、ブロック分割部１０がブロックに分割し、縮小画像生成部２０が縮小された多値画像を生成する。ステップＳ２０８の処理の後、ステップＳ２０４に戻って処理を繰り返す。
【００４３】
図６は、本実施の形態に係る画像処理装置の構成を示すブロック図である。図６の画像処理装置は、マイクロプロセッサ等のデジタル処理により、本実施形態に係る画像処理方法を実行することができる。
【００４４】
図６の画像処理装置は、ＣＰＵ１、メモリ２、ワークエリアＲＡＭ３、プログラム格納ＲＯＭ／ＲＡＭ４、スキャナ５、印刷装置６、ディスプレイ７、及び、ＣＤ−ＲＯＭ／ＦＤドライブ８を有する。
【００４５】
ＣＰＵ１は、プログラム格納ＲＯＭ／ＲＡＭ４に格納されたプログラム、又は、ＣＤ−ＲＯＭ／ＦＤ等の記録媒体からＣＤ−ＲＯＭ／ＦＤドライブ８が読み出したプログラムを、読み出して実行し、ワークエリアＲＡＭ３を用いて文書画像データに対するブロック分割処理等を含む画像処理を実行する。
【００４６】
ＣＰＵ１は、処理された画像データをメモリ２に格納させる。ＣＰＵ１は、また、画像データをディスプレイ７に表示させ、又は、印刷装置６により出力させる。
【００４７】
メモリ２は、画像データを格納する。ワークエリアＲＡＭ３は、ＣＰＵ１がプログラムを実行する際に供せられる。プログラム格納ＲＯＭ／ＲＡＭ４は、ＣＰＵ１が実行するプログラムを格納する。
【００４８】
スキャナ５は、文書画像原稿を光学的に読み取り電気信号である画像データに変換する。印刷装置６は、ＣＰＵ１により画像データが印刷される。ディスプレイ７は、画像データ７を含む情報を表示する。ＣＤ−ＲＯＭ／ＦＤドライブ８は、ＣＤ−ＲＯＭ又はフロッピー（登録商標）ディスク等の記録媒体が挿入され、記録媒体に格納された情報が読み出される。
【００４９】
本実施の形態により、高倍率の縮小をしても細い罫線が、かすれにくくなる。より詳細には、二値画像を縮小して二値画像を得たい場合に、高速で、高倍率の縮小を行っても、細い罫線で枠・表を構成しているような画像において、枠・表の構造を従来よりも壊さないで閲覧・処理できる二値画像を得ることができる。
【００５０】
以上、発明を実施するための最良の形態について説明を行ったが、本発明は、この最良の形態で述べた実施の形態に限定されるものではない。本発明の主旨をそこなわない範囲で変更することが可能である。
【符号の説明】
【００５１】
１     ＣＰＵ
２     メモリ
３     ワークエリアＲＡＭ
４     プログラム格納ＲＯＭ／ＲＡＭ
５     スキャナ
６     印刷装置
７     ディスプレイ
８     ＣＤ−ＲＯＭ／ＦＤドライブ
１０   ブロック分割部
２０   縮小画像生成部
３０   黒画素比率保存閾値決定部
４０   濃度閾値決定部
５０   二値化部
８１   画像メモリ
８２   ワークメモリ
１００ 画像処理装置
【先行技術文献】
【特許文献】
【００５２】
【特許文献１】特開平７−１２３２４６号公報
【特許文献２】特開２００２−３５４２３３号公報
【図１】
2011034126.tif 000006
【図２】
2011034126.tif 000007
【図３】
2011034126.tif 000008
【図４】
2011034126.tif 000009
【図５】
2011034126.tif 000010
【図６】
2011034126.tif 000011